(57)【要約】【課題】擁壁の天端部に連続する上部土地を最大限に有効利用し、起立壁版に対して植生を容易に施せ、該植生を安定性良く維持できる法面緑化用擁壁構造を提供する。【解決手段】法面の底部地盤に設置され、法面の前面部から一定深さまで入り込む底面壁版と、底面壁版の前縁部に全幅にわたって結合され、法面のほぼ全高さに相当する高さを有する起立壁版とからなり、起立壁版が底端部から天端部に至るまで連続した一体構造物であり、起立壁版と底面壁版とが工場におけるプレキャスト成形または現場における打設形成によって剛体物として一体成形されており、法面の前面部または底部地盤に連通する植生土壌収容部が起立壁版を前後に貫通して形成されており、該植生土壌収容部に定着させた植生を起立壁版の前面側に露出させる。【選択図】  図７
2005200953.tif 000002
【特許請求の範囲】
【請求項１】
法面の底部地盤に設置され、法面の前面部から一定深さまで入り込む底面壁版と、底面壁版の前縁部に全幅にわたって結合され、法面のほぼ全高さに相当する高さを有する起立壁版とからなり、起立壁版が底端部から天端部に至るまで連続した一体構造物であり、起立壁版と底面壁版とが工場におけるプレキャスト成形または現場における打設形成によって剛体物として一体成形されており、法面の前面部または底部地盤に連通する植生土壌収容部が起立壁版を前後に貫通して形成されており、該植生土壌収容部に定着させた植生を起立壁版の前面側に露出させるようにした法面緑化用擁壁構造。
【請求項２】
前記植生土壌収容部は、起立壁版を前後に貫通した１個又は複数個の孔部と、起立壁版の後面側に該孔部に連通して形成されたポケット部とで構成されており、該ポケット部は周側面が囲壁によって包囲されており、下面に下向き開口部を形成してあることを特徴とする請求項１に記載の法面緑化用擁壁構造。
【請求項３】
前記植生土壌収容部は、起立壁版を前後に貫通した１個又は複数個の孔部と、起立壁版の前面側に該孔部に連通して形成されたポケット部とで構成されており、該ポケット部は周側面が囲壁によって包囲されており、上面に上向き開口部を形成してあることを特徴とする請求項１に記載の法面緑化用擁壁構造。
【請求項４】
前記植生土壌収容部は、起立壁版を前後に貫通した１個又は複数個の孔部と、起立壁版の前面側に該孔部に連通して形成されたポケット部とで構成されており、該ポケット部は周側面が囲壁によって包囲されており、上面に上向き開口部を形成し、下面に底部地盤に対面する下向き開口部を形成してあることを特徴とする請求項１に記載の法面緑化用擁壁構造。
【請求項５】
前記ポケット部の下面開口部を被覆するように起立壁版の後面側に法面土壌の吸出し防止材料を配置してあることを特徴とする請求項２に記載の法面緑化用擁壁構造。
【請求項６】
前記ポケット部の下面開口部に植生土嚢を充填してあることを特徴とする請求項２に記載の法面緑化用擁壁構造。
【請求項７】
前記孔部を被覆するように起立壁版の後面側に法面土壌の吸出し防止材料を配置してあることを特徴とする請求項３に記載の法面緑化用擁壁構造。
【請求項８】
前記ポケット部の底部と前記孔部の一方または双方に植生土嚢を充填してあることを特徴とする請求項３に記載の法面緑化用擁壁構造。
【請求項９】
前記孔部を被覆するように起立壁版の後面側に法面土壌の吸出し防止材料を配置してあることを特徴とする請求項４に記載の法面緑化用擁壁構造。
【請求項１０】
前記ポケット部の底部と前記孔部の一方または双方に植生土嚢を充填してあることを特徴とする請求項４に記載の法面緑化用擁壁構造。
【請求項１１】
前記ポケット部の囲壁の下端面の位置を前記孔部の下辺面の位置よりも下側に配置したことを特徴とする請求項２、請求項５または請求項６に記載の法面緑化用擁壁構造。
【発明の詳細な説明】
【技術分野】
【０００１】
本発明は、宅地や道路その他の法面に施工され、自然景観に適応した植生を法面前面部に形成維持できる法面緑化用擁壁構造に関するものである。
【背景技術】
【０００２】
従来の法面緑化用擁壁構造では、法面の全高さに対して高さが遥かに低い小型のコンクリート製擁壁ブロックを横に並べながら上下複数段に積み上げ、擁壁ブロックの前面壁部の植生土壌収容部に土砂と肥料、場合によっては植生の種子を混ぜ合わせて植生土壌を充填し、植生土壌収容部の前面側開口部より芝や草類などの植生を露出させることによって、コンクリート擁壁面の緑化を行っている（例えば特許文献１）。
【０００３】
しかしながら、この積み上げ擁壁では、上下左右に隣接する擁壁ブロックは構造力学的に一体物として評価できるように接合されておらず、擁壁ブロックの重量によって法面の側方土圧に対抗するものであるため、積み上げる段数と擁壁面の傾斜角度には一定の制約があり、急角度で高い法面には不向きなものであった。また、構築される擁壁面の傾斜角度が緩い分だけ、擁壁の天端部に連続する上部土地における有効利用面積が減少することになった。
【０００４】
他方、底面壁版と起立壁版とを鉄筋コンクリートによってＬ字形状に一体成形した大型の擁壁ブロックを使用し、法面を一部掘削して底面壁版を法面内に据え付け、底面壁版と起立壁版間の空間に土砂を埋め戻すようにしたＬ型擁壁構造が提案されている（特許文献２参照）。
【０００５】
このＬ型擁壁構造では、擁壁ブロックの起立壁版は法面の全高さに相当する高さを有しており、擁壁面が一体物として形成されることになるため、山側からの土圧に対する対抗力が大きくなり、高さの高い急角度の法面にも適するものであり、法面の上部土地の有効利用面積も広くとれるものである。
【０００６】
しかしながら、擁壁前面はコンクリートの成形面が露出しているため、外観ははなはだ単調かつ無機的なものであり、また、擁壁ブロックの起立壁版は、全幅および全高さにわたって凹凸のない平板状に形成されており、起立壁版には植生を施す箇所が全く存在していないため、威圧感のあるコンクリート壁面が形成されるだけであった。
【０００７】
【特許文献１】特許第２９６３０９３号公報
【特許文献２】特開平９-２５６４５０号公報
【発明の開示】
【発明が解決しようとする課題】
【０００８】
本発明の課題は、擁壁の天端部に連続する上部土地を最大限に有効利用することができるとともに、起立壁版に対して植生を容易に施すことができ、該植生を安定性良く維持することができる法面緑化用擁壁構造を提供することである。
【課題を解決するための手段】
【０００９】
請求項１の発明の主たる特徴は、法面の底部地盤に設置され、法面の前面部から一定深さまで入り込む底面壁版と、底面壁版の前縁部に全幅にわたって結合され、法面のほぼ全高さに相当する高さを有する起立壁版とからなり、起立壁版が底端部から天端部に至るまで連続した一体構造物であり、起立壁版と底面壁版とが工場におけるプレキャスト成形または現場における打設形成によって剛体物として一体成形されており、法面の前面部または底部地盤に連通する植生土壌収容部が起立壁版を前後に貫通して形成されており、該植生土壌収容部に定着させた植生を起立壁版の前面側に露出させるようにしたことである。
【００１０】
請求項２の発明の特徴は、請求項１の発明の法面緑化用擁壁構造において、前記植生土壌収容部は、起立壁版を前後に貫通した１個又は複数個の孔部と、起立壁版の後面側に該孔部に連通して形成されたポケット部とで構成されており、該ポケット部は周側面が囲壁によって包囲されており、下面に下向き開口部を形成してあることである。
【００１１】
請求項３の発明の特徴は、請求項１の発明の法面緑化用擁壁構造において、前記植生土壌収容部は、起立壁版を前後に貫通した１個又は複数個の孔部と、起立壁版の前面側に該孔部に連通して形成されたポケット部とで構成されており、該ポケット部は周側面が囲壁によって包囲されており、上面に上向き開口部を形成してあることである。
【００１２】
請求項４の発明の特徴は、請求項１の発明の法面緑化用擁壁構造において、前記植生土壌収容部は、起立壁版を前後に貫通した１個又は複数個の孔部と、起立壁版の前面側に該孔部に連通して形成されたポケット部とで構成されており、該ポケット部は周側面が囲壁によって包囲されており、上面に上向き開口部を形成し、下面に底部地盤に対面する下向き開口部を形成してあることである。
【００１３】
請求項５の発明の特徴は、請求項２の発明の法面緑化用擁壁構造において、前記ポケット部の下面開口部を被覆するように起立壁版の後面側に法面土壌の吸出し防止材料を配置してあることである。
【００１４】
請求項６の発明の特徴は、請求項２の発明の法面緑化用擁壁構造において、前記ポケット部の下面開口部に植生土嚢を充填してあることである。
【００１５】
請求項７の発明の特徴は、請求項３の発明の法面緑化用擁壁構造において、前記孔部を被覆するように起立壁版の後面側に法面土壌の吸出し防止材料を配置してあることである。
【００１６】
請求項８の発明の特徴は、請求項３の発明の法面緑化用擁壁構造において、前記ポケット部の底部と前記孔部の一方または双方に植生土嚢を充填してあることである。
【００１７】
請求項９の発明の特徴は、請求項４の発明の法面緑化用擁壁構造において、前記孔部を被覆するように起立壁版の後面側に法面土壌の吸出し防止材料を配置してあることである。
【００１８】
請求項１０の発明の特徴は、請求項４の発明の法面緑化用擁壁構造において、前記ポケット部の底部と前記孔部の一方または双方に植生土嚢を充填してあることである。
【００１９】
請求項１１の発明の特徴は、請求項２の発明、請求項５の発明または請求項６の発明の法面緑化擁壁構造において、前記ポケット部の囲壁の下端面の位置を前記孔部の下辺面の位置よりも下側に配置したことである。
【発明の効果】
【００２０】
請求項１の発明の法面緑化用擁壁構造では、起立壁版と底面壁版とは工場におけるプレキャスト成形または現場における打設形成によって剛体物として一体成形されており、底面壁版の前縁部に全幅にわたって結合された起立壁版は、底端部から天端部に至るまで連続した一体構造物であり、法面のほぼ全高さに相当する高さを有しているため、鉛直な擁壁面を堅牢に構築することができ、天端部に連続する上部土地の有効利用面積を最大限に広く確保することができる。
また、起立壁版には法面の前面部または底部地盤に連通する植生土壌収容部を前後に貫通して形成してあるため、法面の土質に適した植生を選択することによって、あるいは必要な土壌改良処置を施して、起立壁版の前面側に最適な植生を容易に繁茂させることができ、単調で無味乾燥的なコンクリート壁面の景観を改善することができる。
【００２１】
請求項２の発明の法面緑化用擁壁構造では、請求項１の発明の前記効果に加えて、植生土壌収容部を構成するポケット部は、起立壁版を前後に貫通した１個又は複数個の孔部の後面側に配置され、該ポケット部の周側面は囲壁によって包囲されているため、法面の側方土圧の大半は該囲壁によって支承されることになり、ポケット部内の植生土壌が前記孔部から押し出されることがなく、植生を安定性良く維持することができる。また、前記ポケット部の下面には下向き開口部を形成してあるため、前記孔部およびポケット部に施された植生の根が法面土壌内に伸長することによって、植生が強固に法面に定着されることになる。さらにまた、ポケット部に浸透した雨水の余剰部分は、前記下面開口部から法面土壌内に吸収されるため、前記孔部およびポケット部内の植生に根腐れを起こすことがない。
【００２２】
請求項３の発明の法面緑化用擁壁構造では、請求項１の発明の前記効果に加えて、植生土壌収容部を構成するポケット部は、起立壁版を前後に貫通した１個又は複数個の孔部の前面側に配置され、該孔部はポケット部の底部に対面しているため、法面の側方土圧の少なからずの部分は起立壁版によって支承されることになり、ポケット部内の植生土壌が上面開口部から押し出されることがなく、植生を安定性良く維持することができる。また、前記ポケット部の底部に連通する前記孔部から植生の根が法面土壌内に伸長することによって、植生が強固に法面に定着されることになる。さらにまた、ポケット部に浸透した雨水の余剰部分は、前記孔部から法面土壌内に吸収されるため、ポケット部内の植生に根腐れを起こすことがない。
【００２３】
請求項４の発明の法面緑化用擁壁構造では、請求項１の発明の前記効果に加えて、植生土壌収容部を構成するポケット部は、起立壁版を前後に貫通した１個又は複数個の孔部の前面側に配置され、該孔部はポケット部の中間部に対面しているため、法面の側方土圧の少なからずの部分は起立壁版によって支承されることになり、ポケット部内の植生土壌が上面開口部から押し出されることがなく、植生を安定性良く維持することができる。また、前記孔部およびポケット部の下面開口部から植生の根が法面土壌内や底部地盤内に伸長することによって、植生が法面や底面地盤に強固に定着されることになる。さらにまた、ポケット部に浸透した雨水の余剰部分は、前記下面開口部または前記孔部から底面地盤や法面土壌内に吸収されるため、ポケット部内の植生に根腐れを起こすことがない。
【００２４】
請求項５の発明の法面緑化用擁壁構造では、請求項１および請求項２の各発明の前記効果に加えて、前記ポケット部の下面開口部を吸出し防止材料によって被覆してあるため、法面内部からポケット部および孔部へと流れる法面排水に随伴して、法面土壌が流出する事態を的確に防止することができる。
【００２５】
請求項６の発明の法面緑化用擁壁構造では、請求項１および請求項２の各発明の前記効果に加えて、前記ポケット部の下面開口部に植生土嚢を充填してあるため、目的の植生に対応した最適の土壌環境を用意し、植生の発生・定着を促進させることができる。また、この植生土嚢は、前記吸出し防止材料と同様に機能し、法面内部からポケット部および孔部へと流れる排水に随伴して、法面土壌が流出するのを的確に防止することができる。
【００２６】
請求項７の発明の法面緑化用擁壁構造では、請求項１および請求項３の各発明の前記効果に加えて、前記孔部の後面側開口部を吸出し防止材料によって被覆してあるため、法面内部から孔部およびポケット部へと流れる法面排水に随伴して、法面土壌が流出するのを的確に防止することができる。
【００２７】
請求項８の発明の法面緑化用擁壁構造では、請求項１および請求項３の各発明の前記効果に加えて、前記ポケット部の底部または前記孔部の一方または双方に植生土嚢を充填してあるため、目的の植生に対応した最適の土壌環境を用意し、植生の発生・定着を促進させることができる。また、この植生土嚢は、前記吸出し防止材料と同様に機能し、法面内部から孔部およびポケット部へと流れる法面排水に随伴して、法面土壌が流出するのを的確に防止することができる。
【００２８】
請求項９の発明の法面緑化用擁壁構造では、請求項１および請求項４の各発明の前記効果に加えて、前記孔部の後面側開口部を吸出し防止材料によって被覆してあるため、法面内部から孔部およびポケット部へと流れる法面排水に随伴して、法面土壌が流出するのを的確に防止することができる。
【００２９】
請求項１０の発明の法面緑化用擁壁構造では、請求項１および請求項４の各発明の前記効果に加えて、前記ポケット部の底部と前記孔部の一方または双方に植生土嚢を充填してあるため、目的の植生に対応した最適の土壌環境を用意し、植生の発生・定着を促進させることができる。また、この植生土嚢は、前記吸出し防止材料と同様に機能し、法面内部から孔部およびポケット部へと流れる法面排水に随伴して、法面土壌が流出するのを的確に防止することができる。
【００３０】
請求項１１の発明の特徴は、請求項２、請求項５または請求項６の各発明の前記効果に加えて、前記ポケット部の囲壁の下端面の位置を前記孔部の下辺面の位置よりも下側に配置してあるから、この両位置のレベル差によって、背圧による法面土壌の押し出しだけでなく、法面土壌内の飽和水の流出を可及的に抑制することができる。
【実施例】
【００３１】
前記吸出し防止材料には、高品質な合成繊維を主原料としてニードルパンチ製法にて成形加工したシート状の反毛フェルト製品であって引張り強さが大きくて（望ましくは１０ｋＮ／ｍ以上）と伸びに優れた（望ましくは５０％以上）もの、ポリエステル長繊維を原料としてスパンボンド製法にて製造したシート状の不織布製品であって伸びが大きく（望ましくは６５％以上）柔軟性に優れたもの、天然のパーム繊維を原料として接着剤とニードルパンチ製法で成形加工したシート状の短繊維不織布製品であって透水性に優れ（望ましくは透水係数５×１０−１）目詰まりし難いもの、あるいは、合成繊維を原料として接着剤とニードルパンチ製法にて形成加工したシート状の短繊維不織布製品であって粒子の小さい土質にも適するもの等がある。
【００３２】
また、前記植生土嚢には、肥料袋（超遅効性コントロール肥料、保水材、土壌改良材）を装着したものであって、水溶性泡装着により種子が確実に発芽して初期の生育が旺盛であり、遮光ネット袋体により、降雨・凍上による基材の流出ならびに乾燥を防ぐようにしたもの、ポリエチレン製土嚢袋に種子、肥料、保水剤等を装着させた緑化資材であって、水溶性泡装着により種子が確実に発芽して初期の生育が旺盛であり、遮光ネット袋体により、降雨・凍上による基材の流出ならびに乾燥を防ぐようにしたもの、あるいは、植物性繊維（分解性素材）と化学性繊維（耐腐食性素材）を組み合わせて形成したものであって、施工後、素材の一部が分解消失するため、土嚢に装着した植物の根が法面に侵入できるとともに周辺の植生も容易に侵入でき、法面との一体化した植生が早期に形成でき、客土を袋素材が確実に保護するため、保温効果がよく凍上を防止でき、冬期施工が可能なもの等がある。土嚢袋に詰める客土としては、普通土壌を使用し、石、木くず等を除去するのが望ましい。
【００３３】
図１から図７は請求項１の発明と請求項２の発明の一実施例に係るものであり、横に並べて擁壁構造を構築する擁壁ブロック１は、底面壁版２と起立壁版３が直角に配置されたものであり、両者間には補強リブ４が幅方向中央部に形成されている。孔部５は矩形窓孔状に上下左右に４個形成されている。孔部５の全開口面積と連通するポケット部６は、囲壁７の水平断面が後面側に向かうほど幅狭となる台形状であるように形成されている。ポケット部６の下面開口部８は底面壁版２に向かって真直ぐに開口している。孔部５の上辺部と下辺部には下向き傾斜の斜面部５ａ，５ｂが形成されており、ポケット部６からの植生９の伸長・突出を助長するようになっている。
【００３４】
孔部５とポケット部６とからなる植生土壌収容部は、上下２段に形成されているが、法面内の飽和水の流出抑制のために設定される土壌前記囲壁７の下端面７ａの位置と前記孔部５の下辺面５ｂの位置と間のレベル差Ｄは、上段側の植生土壌収容部についてのみ設定されている。
【００３５】
擁壁ブロック１は工場において鉄筋コンクリートによってプレキャスト成形されたものである。法面１０の前面部は底面壁版２の奥行き寸法に見合った深さまで掘削され、この掘削底部には砕石や砂利等の転圧・締め固めにより砕石基礎１１が形成され、砕石基礎１１の上面には生コンクリートの打設によってコンクリート基礎１２が水平に形成される。工場から現場に搬入された擁壁ブロック１は、底面壁版２をコンクリート基礎１２に載置され、起立壁版３は鉛直に配置される。
【００３６】
法面１０の横幅に見合って横並びに複数個設置された擁壁ブロック１，１は、適当な連結部材の使用によって相互に接合され、底面壁版２と起立壁版３と法面１０の掘削面とで囲まれた空間に土砂が起立壁版３の天端部まで埋め戻される。
このようにして擁壁が構築された後、植生土壌収容部たる孔部５とポケット部６内の土砂は、目的の植生に適した土壌に置換されるが、元々の法面土壌１３が目的の植生に適したものであるときには、そのまま植生土壌として利用される。植生土壌には、目的の植生の種子を養分と一緒に混入して置くこともできる。
【００３７】
種子あるいは苗として植生土壌に定植された植生は、植生土壌中の養分と水分を吸収して生育し、根が法面土壌中に伸長することによって法面土壌中からも養分と水分を吸収し、法面土壌中にも根を張ることになる。茎はポケット部６および孔部５から起立壁版３の前面側に伸長し、無味乾燥的であったコンクリート壁面を緑化により改善する。
【００３８】
法面１０の高さに対応して起立壁版３の高さ寸法が大きくなるときには、底面壁版２の奥行き寸法も長くなるから、Ｌ型擁壁ブロック１の全体の大きさが、通常の貨物トラックの荷台に収まらなくなる程に大きくなる。そのような場合には、型枠工事をして生コンクリートを打設し、現場で擁壁ブロック１を成形することになる。
【００３９】
工場でのプレキャスト成形あるいは現場打設成形のいずれにおいても、一般的には起立壁版３は鉛直に形成されるのであるが、法面の土質等の条件によっては、多少鈍角に形成することもできる。
【００４０】
図８から図１０は請求項５の発明の一実施例を示し、網目シート状の金属製、プラスチック製または布製等の吸出し防止材料１４が起立壁版３の背面全面を被覆するように配置されている。吸出し阻止材料１４は、全面または適宜箇所および長さにわたって起立壁版３に接着剤などによって固着されている。ポケット部６の囲壁７の外形に沿って添接された吸出し阻止材料１４は、ポケット部６の下面開口部８を水分が通過可能な程度に閉塞しており、これによって排水に随伴した法面土壌の流出を阻止している。
【００４１】
植物の根は吸出し阻止材料１４の網目細隙から法面土壌１３内部に伸長して行き、植生の根が吸出し阻止材料１４に絡み付くことによって、植生が吸出し阻止材料１４を介して起立壁版３に結合されるため、起立壁版３の外面側を流下する雨水による植生の洗掘や脱落が阻止される。その他の構成と作用は前記実施例とほぼ同様であるので説明を省略する。
【００４２】
図１１と図１２は請求項６の発明の一実施例を示しており、植生土嚢１５には植生の種子と土壌成分および養分が封入されている。土嚢自体は、布製またはプラスチック製の網目シート状材料によって構成されており、植生土嚢１５は、水分が通過可能な程度にポケット部６の下面開口部８を閉塞し、法面土壌の排水に随伴した流出を阻止している。
【００４３】
植生土嚢１５内で発芽した植生は植生土嚢１５の網目細隙を通って根が法面土壌内に伸長し、茎は植生土嚢の網目細隙を通り抜けて外部に伸長し、起立壁版３の前面側を緑化する。なお、植物の種子を植生土嚢１５に混入する代わりに、植生土嚢１５上に植物の種子を播種したり、土嚢１５の表面部の適宜箇所を切断して苗を定植することもできる。その他の構成と作用は前記実施例とほぼ同様であるので説明を省略する。
【００４４】
図１３から図１９は請求項３の発明および請求項７の発明ないし請求項８の発明の一実施例を示し、擁壁ブロック１の底面壁版２と起立壁版３は直角に配置されており、両者間には補強リブ４が幅方向中央部に形成されている。孔部５は矩形窓孔状に上下左右に６個形成されている。孔部５の全開口面積と連通するポケット部６は、囲壁７の水平断面が後面側に向かうほど幅狭となる台形状であるように形成されている。ポケット部６の上面開口部１６は上方に向かって真直ぐに開口している。この上中下の３段に形成された植生土壌収容部は、その各段において囲壁７の前面壁部は同一面に整列して連続している。
【００４５】
擁壁ブロック１は工場で鉄筋コンクリートによってプレキャスト成形されたものである。法面１０の前面部の掘削底部には砕石基礎１１が形成され、砕石基礎１１の上面にはコンクリート基礎１２が水平に打設形成される。現場に搬入された擁壁ブロック１は、底面壁版２をコンクリート基礎１２に載置され、起立壁版３は鉛直に配置される。
【００４６】
複数個設置された左右の擁壁ブロック１，１は適当な連結部材の使用によって相互に接合され、底面壁版２と起立壁版３と法面１０の掘削面とで囲まれた空間には、土砂が起立壁版３の天端部まで埋め戻される。
擁壁の構築後、植生土壌収容部たる孔部５とポケット部６内の土砂は、目的の植生に適した土壌に置換される。当初の法面土壌１３が目的の植生に適したものであるときには、そのまま植生土壌として利用される。植生土壌には、目的の植生の種子を養分と一緒に混入して置くこともできる。
【００４７】
種子あるいは苗として植生土壌に定植された植生は、植生土壌中の養分と水分を吸収して生育し、根が法面土壌中に伸長することによって法面土壌中からも養分と水分を吸収し、法面土壌中にも根を張る。茎はポケット部６および孔部５から起立壁版３の前面側に伸長し、コンクリート壁面を緑化により改善する。
【００４８】
設計されたＬ型擁壁ブロック１の全体の大きさが、通常の貨物トラックの荷台に収まらなくなる程に大きい場合には、型枠工事をして現場で生コンクリートを打設して擁壁ブロック１を成形する。プレキャスト成形あるいは現場打設成形のいずれにおいても、一般的には起立壁版３は鉛直に形成されるのであるが、法面の土質等の条件によっては、多少鈍角に形成することもできる。
【００４９】
図１７は請求項７の発明に係るものであり、金属製、プラスチック製または布製等の網目シート状の吸出し防止材料１４が、起立壁版３の背面全面を被覆するように配置されている。吸出し阻止材料１４は、全面または適宜箇所および長さにわたって起立壁版３に接着剤などによって固着されている。吸出し阻止材料１４は、ポケット部６の上面開口部１６を水分が通過可能な程度に閉塞しており、これによって排水に随伴した法面土壌の流出を阻止している。
【００５０】
植物の根は吸出し阻止材料１４の網目細隙から法面土壌１３内部に伸長して行き、植生の根が吸出し阻止材料１４に絡み付くことによって、植生が吸出し阻止材料１４を介して起立壁版３に結合されるため、起立壁版３の外面側を流下する雨水による植生の洗掘や脱落が阻止される。その他の構成と作用は前記実施例とほぼ同様であるので説明を省略する。
【００５１】
図１９は請求項７の発明に係るものであり、植生土嚢１５には植生の種子と土壌成分および養分が封入されている。土嚢自体は、布製またはプラスチック製の網目シート状材料によって構成されており、植生土嚢１５は、水分が通過可能な程度にポケット部６の下面開口部８を閉塞し、法面土壌の排水に随伴した流出を阻止している。
【００５２】
植生土嚢１５内で発芽した植生は植生土嚢１５の網目細隙を通って根が法面土壌内に伸長し、茎は植生土嚢の網目細隙を通り抜けて外部に伸長し、起立壁版３の前面側を緑化する。なお、植物の種子を植生土嚢１５に混入する代わりに、植生土嚢１５上に植物の種子を播種したり、土嚢１５の表面部の適宜箇所を切断して苗を定植することもできる。その他の構成と作用は前記実施例とほぼ同様であるので説明を省略する。
【００５３】
図２０から図２６は請求項４の発明および請求項９の発明ないし請求項１０の発明の一実施例を示し、擁壁ブロック１の底面壁版２と起立壁版３は直角に配置されており、両者間には補強リブ４が幅方向中央部に形成されている。
植生土壌収容部は上下２段に形成されており、上段側の植生土壌部は請求項２の発明に係るものと同様に形成されている。下段側の植生土壌収容部が請求項４の発明に係るものである。この下段側の植生土壌収容部の孔部５は矩形窓孔状に左右に２個形成されている。孔部５の全開口面積と連通するポケット部６は、囲壁７の水平断面が前面側に向かうほど幅狭となる半台形状であるように形成されている。左右２個の囲壁７は、相隣接して一つの台形状の水平断面をなしている。ポケット部６の上面開口部１６は上方に向かって真直ぐに開口している。ポケット部６の下面開口部１７は底面地盤１８に真直ぐに開口している。
【００５４】
擁壁ブロック１は工場でプレキャスト成形されたものである。法面１０の底面地盤１８には砕石基礎１１が形成され、砕石基礎１１の上面にはコンクリート基礎１２が水平に打設形成される。現場に搬入された擁壁ブロック１は、底面壁版２をコンクリート基礎１２に載置され、起立壁版３は鉛直に配置される。
【００５５】
複数個設置された左右の擁壁ブロック１，１は相互に接合され、底面壁版２と起立壁版３と法面１０の掘削面とで囲まれた空間に土砂が起立壁版３の天端部まで埋め戻される。擁壁の構築後、植生土壌収容部たる孔部５とポケット部６内の土砂は、目的の植生に適した土壌に置換される。当初の法面土壌１３が目的の植生に適したものであるときには、そのまま植生土壌として利用される。植生土壌には、目的の植生の種子を養分と一緒に混入して置くこともできる。
【００５６】
種子あるいは苗として植生土壌に定植された植生は、植生土壌中の養分と水分を吸収して生育し、根が孔部５を経由して法面土壌中に伸長することによって法面土壌中からも養分と水分を吸収し、法面土壌中にも根を張る。または、根の一部はポケット部６の下面開口部１７から底面地盤１８にも伸長する。茎はポケット部６の上面開口部１６から起立壁版３の前面側に伸長し、コンクリート壁面を緑化により改善する。
【００５７】
Ｌ型擁壁ブロック１の設計寸法が通常の貨物トラックの荷台に収まらなくなる程に大きい場合には、型枠工事をして現場で生コンクリートを打設して擁壁ブロック１を成形する。プレキャスト成形あるいは現場打設成形のいずれにおいても、一般的には起立壁版３は鉛直に形成されるのであるが、法面の土質等の条件によっては、多少鈍角に形成することもできる。
【００５８】
図２４は請求項９の発明に係るものであり、金属製、プラスチック製または布製等の網目シート状の吸出し防止材料１４が、起立壁版３の背面全面を被覆するように配置されている。吸出し阻止材料１４は、全面または適宜箇所および長さにわたって起立壁版３に接着剤などによって固着されている。吸出し阻止材料１４は、ポケット部６の下面開口部８と孔部５を水分が通過可能な程度に閉塞し、排水に随伴した法面土壌の流出を阻止している。
【００５９】
植物の根は吸出し阻止材料１４の網目細隙から法面土壌１３内部に伸長して行き、植生の根が吸出し阻止材料１４に絡み付くことによって、植生が吸出し阻止材料１４を介して起立壁版３に結合されるため、起立壁版３の外面側を流下する雨水による植生の洗掘や脱落が阻止される。その他の構成と作用は前記実施例とほぼ同様であるので説明を省略する。
【００６０】
図２６は請求項１０の発明に係るものであり、植生土嚢１５には植生の種子と土壌成分および養分が封入されている。土嚢自体は、布製またはプラスチック製の網目シート状材料によって構成されており、植生土嚢１５は、水分が通過可能な程度にポケット部６の下面開口部８を閉塞し、法面土壌の排水に随伴した流出を阻止している。
【００６１】
植生土嚢１５内で発芽した植生は植生土嚢１５の網目細隙を通って根が法面土壌内に伸長し、茎は植生土嚢の網目細隙を通り抜けて外部に伸長し、起立壁版３の前面側を緑化する。なお、植物の種子を植生土嚢１５に混入する代わりに、植生土嚢１５上に植物の種子を播種したり、土嚢１５の表面部の適宜箇所を切断して苗を定植することもできる。その他の構成と作用は前記実施例とほぼ同様であるので説明を省略する。
【図面の簡単な説明】
【００６２】
【図１】請求項１の発明および請求項２の発明の一実施例に使用される擁壁ブロックの正面図である。
【図２】図１の擁壁ブロックの背面図である。
【図３】図１の擁壁ブロックの右側面図である。
【図４】図１の擁壁ブロックの平面図である。
【図５】図１のＡ−Ａ線断面図である。
【図６】図１のＢ−Ｂ線断面図である。
【図７】図１の擁壁ブロックの据付状態の縦断面図である。
【図８】請求項５の発明の一実施例に使用される擁壁ブロックの右側面図である。
【図９】図８の擁壁ブロックの底面図である。
【図１０】図８の擁壁ブロックの据付状態の縦断面図である。
【図１１】請求項６の発明の一実施例に使用される擁壁ブロックの据付状態の縦断面図である。
【図１２】図１１の擁壁ブロックの水平断面図である。
【図１３】請求項２の発明の一実施例に使用される擁壁ブロックの正面図である。
【図１４】図１３の擁壁ブロックの右側面図である。
【図１５】図１３の擁壁ブロックの背面図である。
【図１６】図１３の擁壁ブロックの平面図である。
【図１７】図１３の擁壁ブロックに請求項７の発明を適用したときのＣ−Ｃ線断面図である。
【図１８】図１３のＤ−Ｄ線断面図である。
【図１９】図１３の擁壁ブロックに請求項８の発明を適用したときの据付状態の縦断面図である。
【図２０】請求項４の発明の一実施例に使用される擁壁ブロックの正面図である。
【図２１】図２０の擁壁ブロックの右側面図である。
【図２２】図２０の擁壁ブロックの背面図である。
【図２３】図２０の擁壁ブロックの平面図である。
【図２４】図２０の擁壁ブロックに請求項９の発明を適用したときのＥ−Ｅ線断面図である。
【図２５】図２０のＦ−Ｆ線断面図である。
【図２６】図２０の擁壁ブロックに請求項１０の発明を適用したときの据付状態の縦断面図である。
【符号の説明】
【００６３】
１  擁壁ブロック
２  底面壁版
３  起立壁版
４  補強リブ
５  孔部
６  ポケット部
７  囲壁
８  下面開口部
９  植生
１０  法面
１１  砕石基礎
１２  コンクリート基礎
１３  法面土壌
１４  吸出し防止材料
１５  植生土嚢
１６  上面開口部
１７  下面開口部
１８  底面地盤
【図１】
2005200953.tif 000003
【図２】
2005200953.tif 000004
【図３】
2005200953.tif 000005
【図４】
2005200953.tif 000006
【図５】
2005200953.tif 000007
【図６】
2005200953.tif 000008
【図７】
2005200953.tif 000009
【図８】
2005200953.tif 000010
【図９】
2005200953.tif 000011
【図１０】
2005200953.tif 000012
【図１１】
2005200953.tif 000013
【図１２】
2005200953.tif 000014
【図１３】
2005200953.tif 000015
【図１４】
2005200953.tif 000016
【図１５】
2005200953.tif 000017
【図１６】
2005200953.tif 000018
【図１７】
2005200953.tif 000019
【図１８】
2005200953.tif 000020
【図１９】
2005200953.tif 000021
【図２０】
2005200953.tif 000022
【図２１】
2005200953.tif 000023
【図２２】
2005200953.tif 000024
【図２３】
2005200953.tif 000025
【図２４】
2005200953.tif 000026
【図２５】
2005200953.tif 000027
【図２６】
2005200953.tif 000028